【手続補正書】
【提出日】平成15年9月5日(2003.9.5)
【手続補正１】
【補正対象書類名】明細書
【補正対象項目名】００９５
【補正方法】変更
【補正の内容】
【００９５】
【表５】
2004530416.tif 000001
【配列表】
SEQUENCE LISTING                               
<110> プリマゲン  ホールディング  ベー．フェー．
<120> 内部共生体細胞小器官の検査およびそれで識別可能な化合物
<160> 46                            
<170> PatentIn Ver. 2.1
<210> 1
<211> 48
<212> DNA
<213> Artificial Sequence
<220> 
<223> Description of Artificial Sequence: primer MtD p1
<220> 
<221> misc_feature
<222> (1)..(48)
<400> 1
aattctaata cgactcacta tagggagaag agccgttgag ttgtggta              48   
<210> 2
<211> 25
<212> DNA
<213> Artificial Sequence
<220> 
<223> Description of Artificial Sequence: primer MtD p2
<220> 
<221> misc_feature
<222> (1)..(25)
<400> 2
tctccatcta ttgatgaggg tctta                                       25    
<210> 3
<211> 34
<212> DNA
<213> Artificial Sequence
<220> 
<223> Description of Artificial Sequence: probe MtD mb
<220> 
<221> misc_feature
<222> (1)..(34)
<400> 3
gcatgcccct cctagcctta ctactaatgc atgc                             34    
<210> 4
<211> 49
<212> DNA
<213> Artificial Sequence
<220> 
<223> Description of Artificial Sequence: probe MtD p1_2
<220> 
<221> misc_feature
<222> (1)..(49)
<400> 4
aattctaata cgactcacta tagggaagaa ccgggctctg ccatcttaa             49    
<210> 5
<211> 20
<212> DNA
<213> Artificial Sequence
<220> 
<223> Description of Artificial Sequence: probe MtD p2_2
<220> 
<221> misc_feature
<222> (1)..(20)
<400> 5
gtaatccagg tcggtttcta                                             20   
<210> 6
<211> 32
<212> DNA
<213> Artificial Sequence
<220> 
<223> Description of Artificial Sequence: probe MtD mb_2
<220> 
<221> misc_feature
<222> (1)..(32)
<400> 6
ggacccccca cacccaccca agaacagggt cc                               32    
<210> 7
<211> 49
<212> DNA
<213> Artificial Sequence
<220> 
<223> Description of Artificial Sequence: primer SnrpD
p1
<220> 
<221> misc_feature
<222> (1)..(49)
<400> 7
aattctaata cgactcacta tagggagagg cccggcatgt ggtgcataa             49    
<210> 8
<211> 23
<212> DNA
<213> Artificial Sequence
<220> 
<223> Description of Artificial Sequence: primer SnrpD
p2
<220> 
<221> misc_feature
<222> (1)..(23)
<400> 8
ttccttacat ctctcacccg cta                                         23    
<210> 9
<211> 32
<212> DNA
<213> Artificial Sequence
<220> 
<223> Description of Artificial Sequence: probe SnrpD mb
<220> 
<221> misc_feature
<222> (1)..(32)
<400> 9
gcatgctgta accacgcact ctcctcgcat gc                               32    
<2 10> 10
<211> 20
<212> DNA
<213> Artificial Sequence
<220> 
<223> Description of Artificial Sequence: primer SnrpD2
p2
<220> 
<221> misc_feature
<222> (1)..(20)
<400> 10
tgcgcctctt tctgggtgtt                                             20    
<210> 11
<211> 47
<212> DNA
<213> Artificial Sequence
<220> 
<223> Description of Artificial Sequence: primer MtR p1
<220> 
<221> misc_feature
<222> (1)..(47)
<400> 11
aattctaata cgactcacta tagggaggag aagatggtta ggtctac               47    
<210> 12
<211> 24
<212> DNA
<213> Artificial Sequence
<220> 
<223> Description of Artificial Sequence: primer MtR p2
<220> 
<221> misc_feature
<222> (1)..(24)
<400> 12
cgatatggcg ttcccccgca taaa                                        24    
<210> 13
<211> 34
<212> DNA
<213> Artificial Sequence
<220> 
<223> Description of Artificial Sequence: probe MtR mb
<220> 
<221> misc_feature
<222> (1)..(34)
<400> 13
gctccgaagc ttctgactct tacctccccg gagc                             34    
<210> 14
<211> 47
<212> DNA
<213> Artificial Sequence
<220> 
<223> Description of Artificial Sequence: probe MtR p1_2
<220> 
<221> misc_feature
<222> (1)..(47)
<400> 14
aattctaata cgactcacta tagggagagg agacacctgc taggtgt               47    
<210> 15
<211> 50
<212> DNA
<213> Artificial Sequence
<220> 
<223> Description of Artificial Sequence: probe MtR p1_3
<220> 
<221> misc_feature
<222> (1)..(50)
<400> 15
aattctaata cgactcacta tagggagaag ggtagactgt tcaacctgtt            50    
<210> 16
<211> 22
<212> DNA
<213> Artificial Sequence
<220> 
<223> Description of Artificial Sequence: probe MtR p2_2
<220> 
<221> misc_feature
<222> (1)..(22)
<400> 16
ggtgcccccg atatggcgtt cc                                          22    
<210> 17
<211> 22
<212> DNA
<213> Artificial Sequence
<220> 
<223> Description of Artificial Sequence: probe MtR p2_3
<220> 
<221> misc_feature
<222> (1)..(22)
<400> 17
gtaataatct tcttcatagt aa                                          22    
<210> 18
<211> 49
<212> DNA
<213> Artificial Sequence
<220> 
<223> Description of Artificial Sequence: primer SnrpR
p1
<220> 
<221> misc_feature
<222> (1)..(49)
<400> 18
aattctaata cgactcacta tagggagagg cccggcatgt ggtgcataa             49    
<210> 19
<211> 23
<212> DNA
<213> Artificial Sequence
<220> 
<223> Description of Artificial Sequence: primer SnrpR
p2
<220> 
<221> misc_feature
<222> (1)..(23)
<400> 19
cagtatgcca agaccgactc aga                                         23    
<210> 20
<211> 34
<212> DNA
<213> Artificial Sequence
<220> 
<223> Description of Artificial Sequence: probe SnrpR mb
<220> 
<221> misc_feature
<222> (1)..(34)
<400> 20
cgtacgagaa gaggaagccc aagagccacg tacg                             34    
<210> 21
<211> 50
<212> DNA
<213> Artificial Sequence
<220> 
<223> Description of Artificial Sequence: probe SnrnpR
p1_2
<220> 
<221> misc_feature
<222> (1)..(50)
<400> 21
aattctaata cgactcacta tagggagaag aagatgacaa aggcctggcc            50    
<210> 22
<211> 50
<212> DNA
<213> Artificial Sequence
<220> 
<223> Description of Artificial Sequence: probe SnrnpR
p1_3
<220> 
<221> misc_feature
<222> (1)..(50)
<400> 22
aattctaata cgactcacta tagggagaaa aaggcctggc ccctcatctt            50    
<210> 23
<211> 19
<212> DNA
<213> Artificial Sequence
<220> 
<223> Description of Artificial Sequence: probe SnrnpR
p2_2
<220> 
<221> misc_feature
<222> (1)..(19)
<400> 23
tccatggcag ttcccgaga                                              19    
<210> 24
<211> 20
<212> DNA
<213> Artificial Sequence
<220> 
<223> Description of Artificial Sequence: probe SnrnpR
p2_3
<220> 
<221> misc_feature
<222> (1)..(20)
<400> 24
cactatttat atcaacaacc                                             20    
<210> 25
<211> 19
<212> DNA
<213> Artificial Sequence
<220> 
<223> Description of Artificial Sequence: probe SnrnpR
p2_4
<220> 
<221> misc_feature
<222> (1)..(19)
<400> 25
tcaatgagaa gatcaagaa                                              19    
<210> 26
<211> 32
<212> DNA
<213> Artificial Sequence
<220> 
<223> Description of Artificial Sequence: probe SnrnpR
mb_2
<220> 
<221> misc_feature
<222> (1)..(32)
<400> 26
cgatcgagtc cctgtacgcc atcttccgat cg                               32    
<210> 27
<211> 49
<212> DNA
<213> Artificial Sequence
<220> 
<223> Description of Artificial Sequence: primer
Rubisco-DNA p1
<220> 
<221> misc_feature
<222> (1)..(49)
<400> 27
aattctaata cgactcacta tagggggata atttcattac cttcacgag             49    
<210> 28
<211> 21
<212> DNA
<213> Artificial Sequence
<220> 
<223> Description of Artificial Sequence: primer
Rubisco-DNA p2
<220> 
<221> misc_feature
<222> (1)..(21)
<400> 28
ggagtcctga actagccgca g                                           21    
<210> 29
<211> 34
<212> DNA
<213> Artificial Sequence
<220> 
<223> Description of Artificial Sequence: probe
Rubisco-DNA MB
<220> 
<221> misc_feature
<222> (1)..(34)
<400> 29
gcatgcggta gataaactag atagctaggc atgc                             34    
<210> 30
<211> 46
<212> DNA
<213> Artificial Sequence
<220> 
<223> Description of Artificial Sequence: primer
Rubisco-RNA p1
<220> 
<221> misc_feature
<222> (1)..(46)
<400> 30
aattctaata cgactcacta taggggagtt gttgttattg taagtc                46    
<210> 31
<211> 22
<212> DNA
<213> Artificial Sequence
<220> 
<223> Description of Artificial Sequence: primer
Rubisco-RNA p2
<220> 
<221> misc_feature
<222> (1)..(22)
<400> 31
caagtcttat gaattcctat ag                                          22    
<210> 32
<211> 32
<212> DNA
<213> Artificial Sequence
<220> 
<223> Description of Artificial Sequence: probe
Rubisco-RNA-MB
<220> 
<221> misc_feature
<222> (1)..(32)
<400> 32
gctagcacac agggtgtacc cattatgcta gc                               32    
<210> 33
<211> 48
<212> DNA
<213> Artificial Sequence
<220> 
<223> Description of Artificial Sequence: primer
OryzaDNA p1
<220> 
<221> misc_feature
<222> (1)..(48)
<400> 33
aattctaata cgactcacta tagggggatc ttaattacat gccgttca              48    
<210> 34
<211> 20
<212> DNA
<213> Artificial Sequence
<220> 
<223> Description of Artificial Sequence: primer
OryzaDNA p2
<220> 
<221> misc_feature
<222> (1)..(20)
<400> 34
aaaggtgccg gttctcacta                                             20    
<210> 35
<211> 36
<212> DNA
<213> Artificial Sequence
<220> 
<223> Description of Artificial Sequence: probe OryzaDNA
mb
<220> 
<221> misc_feature
<222> (1)..(36)
<400> 35
gctagcctct gcaagcttca tcagtaatag gctagc                           36    
<210> 36
<211> 51
<212> DNA
<213> Artificial Sequence
<220> 
<223> Description of Artificial Sequence: primer
OryzaRNA p1
<220> 
<221> misc_feature
<222> (1)..(51)
<400> 36
aattctaata cgactcacta taggggctaa tgcccttttc ttttcttcct c          51    
<210> 37
<211> 20
<212> DNA
<213> Artificial Sequence
<220> 
<223> Description of Artificial Sequence: primer
OryzaRNA p2
<220> 
<221> misc_feature
<222> (1)..(20)
<400> 37
catattggct ttcgaagatt                                             20    
<210> 38
<211> 36
<212> DNA
<213> Artificial Sequence
<220> 
<223> Description of Artificial Sequence: probe OryzaRNA
mb
<220> 
<221> misc_feature
<222> (1)..(36)
<400> 38
gctagccttc agccattatt caagatggtg gctagc                           36    
<210> 39
<211> 49
<212> DNA
<213> Artificial Sequence
<220> 
<223> Description of Artificial Sequence: primer
tRNA-L-D p1
<220> 
<221> misc_feature
<222> (1)..(49)
<400> 39
aattctaata cgactcacta taggggggtt ctagttcgag aaccgcttg             49    
<210> 40
<211> 21
<212> DNA
<213> Artificial Sequence
<220> 
<223> Description of Artificial Sequence: primer
tRNA-L-D p2
<220> 
<221> misc_feature
<222> (1)..(21)
<400> 40
gcgaaatcgg tagacgctac g                                           21    
<210> 41
<211> 32
<212> DNA
<213> Artificial Sequence
<220> 
<223> Description of Artificial Sequence: probe tRNA-L-D
MB
<220> 
<221> misc_feature
<222> (1)..(32)
<400> 41
gctagccaac ttccaaattc agagaagcta gc                               32    
<210> 42
<211> 48
<212> DNA
<213> Artificial Sequence
<220> 
<223> Description of Artificial Sequence: primer petB
RNA p1
<220> 
<221> misc_feature
<222> (1)..(48)
<400> 42
aattctaata cgactcacta tagggaaacc ggtagcaact tgtactag              48    
<210> 43
<211> 25
<212> DNA
<213> Artificial Sequence
<220> 
<223> Description of Artificial Sequence: primer petB
RNA p2
<220> 
<221> misc_feature
<222> (1)..(25)
<400> 43
ggtttcggta tctctggaat atgag                                       25    
<210> 44
<211> 32
<212> DNA
<213> Artificial Sequence
<220> 
<223> Description of Artificial Sequence: probe petB RNA
MB
<220> 
<221> misc_feature
<222> (1)..(32)
<400> 44
gctagcgagg aacgtcttga gattcagcta gc                               32    
<210> 45
<211> 34
<212> DNA
<213> Artificial Sequence
<220> 
<223> Description of Artificial Sequence: probe SnrnpD
mb_2
<220> 
<221> misc_feature
<222> (1)..(34)
<400> 45
cgcatgctgt aaccacgcac tctcctcgca tgcg                             34    
<210> 46
<211> 34
<212> DNA
<213> Artificial Sequence
<220> 
<223> Description of Artificial Sequence: probe MtD mb_3
<220> 
<221> misc_feature
<222> (1)..(34)
<400> 46
cgtacgtgat atcatctcaa cttagtatcg tacg                             34